(57)【要約】【課題】操作性を向上させることができる操作装置を提供する。【解決手段】操作装置１は、例えば、操作面２０に対するなぞり操作を検出するタッチパッド２と、タッチパッド２の近傍に設けられ、操作を受け付けると共に操作指の接触を検出する操作部４と、操作部４に対する接触が検出された場合、接触が検出されない場合と比べて、表示装置８２に表示された操作対象の移動距離に対するなぞり操作の距離の比であるＣＤ比を高くする制御部６と、を備えて概略構成されている。【選択図】図５
2018136906.tif 000002
【特許請求の範囲】
【請求項１】
操作面に対するなぞり操作を検出するタッチパッドと、
前記タッチパッドの近傍に設けられ、操作を受け付けると共に操作指の接触を検出する操作部と、
前記操作部に対する接触が検出された場合、接触が検出されない場合と比べて、表示装置に表示された操作対象の移動距離に対する前記なぞり操作の距離の比であるＣＤ比を高くする制御部と、
を備えた操作装置。
【請求項２】
前記制御部は、前記操作部に対する接触が検出された場合、前記操作部に接触していない場合と比べて、前記操作面になされたフリック操作の検出感度を高くする、
請求項１に記載の操作装置。
【請求項３】
前記制御部は、前記タッチパッド及び前記操作部の少なくとも一方になされた操作によって、前記操作部に対する接触が検出された場合のＣＤ比、及び接触が検出されなかった場合のＣＤ比の少なくとも一方が操作者によって設定可能とされた、
請求項１又は２に記載の操作装置。
【請求項４】
前記操作部と共に前記タッチパッドを操作できるように、前記操作面が含まれる平面に設定されたＸＹ座標系のＹ軸方向に前記操作面と前記操作部とが並んで配置され、
前記制御部は、前記タッチパッドにおいて検出された操作指の検出点のＹ座標と、前記操作部によって検出された操作指の検出点のＹ座標と、の差を距離とし、前記距離に基づいてＣＤ比を変更する、
請求項１又は２に記載の操作装置。
【請求項５】
前記制御部は、前記距離が短い方が長い方と比べてＣＤ比を高くする、
請求項４に記載の操作装置。
【請求項６】
前記制御部は、前記距離が変わる度にＣＤ比を変更する、
請求項４又は５に記載の操作装置。
【発明の詳細な説明】
【技術分野】
【０００１】
本発明は、操作装置に関する。
【背景技術】
【０００２】
従来の技術として、画面上のポインタを画面上の別のある目標位置へ動かすために、指先を接触させて目標方向にスライドさせる操作を行うポインティング領域と、ポインティング領域の周辺に設けられ、指先のスライド量に対する画面上のポインタの移動量を、指先を接触させることにより切替えることのできる切替えタッチパネルと、を備えた装置が知られている（例えば、特許文献１参照。）。
【０００３】
この装置は、切替えのための余計な操作を必要とせずに、いつでも所望のタイミングでポインタの移動速度を自在に切替えることができる。
【先行技術文献】
【特許文献】
【０００４】
【特許文献１】特開２００２−２４４８０９号公報
【発明の概要】
【発明が解決しようとする課題】
【０００５】
しかし従来の装置は、指先を切替えタッチパネルに接触させてからポインティング領域をスライドさせないとポインタの移動量などを切替えることができないので、ポインティング領域の中央付近のみで操作する必要がある場合などにおいて操作性が良くない。
【０００６】
従って本発明の目的は、操作性を向上させることができる操作装置を提供することにある。
【課題を解決するための手段】
【０００７】
本発明の一態様は、操作面に対するなぞり操作を検出するタッチパッドと、タッチパッドの近傍に設けられ、操作を受け付けると共に操作指の接触を検出する操作部と、操作部に対する接触が検出された場合、接触が検出されない場合と比べて、表示装置に表示された操作対象の移動距離に対するなぞり操作の距離の比であるＣＤ比を高くする制御部と、を備えた操作装置を提供する。
【発明の効果】
【０００８】
本発明によれば、操作性を向上させることができる。
【図面の簡単な説明】
【０００９】
【図１】図１（ａ）は、第１の実施の形態に係る操作装置の一例を示す概略図であり、図１（ｂ）は、操作装置の一例を示すブロック図である。
【図２】図２（ａ）は、第１の実施の形態に係る操作装置が接続される車両通信システムの一例を示すブロック図であり、図２（ｂ）は、操作部を操作しながらタッチパッドを操作し易い順に領域に分けた一例を示す概略図である。
【図３】図３（ａ）及び図３（ｂ）は、第１の実施の形態に係る操作装置が制御する、操作部に接触がない場合のＣＤ比の一例を説明するための概略図である。
【図４】図４（ａ）及び図４（ｂ）は、第１の実施の形態に係る操作装置が制御する、操作部に接触がある場合のＣＤ比の一例を説明するための概略図である。
【図５】図５は、第１の実施の形態に係る操作装置の動作の一例を示すフローチャートである。
【図６】図６（ａ）及び図６（ｂ）は、第２の実施の形態に係る操作装置の操作指間の距離が短い場合のＣＤ比の一例について説明するための概略図である。
【図７】図７（ａ）及び図７（ｂ）は、第２の実施の形態に係る操作装置の操作指間の距離が長い場合のＣＤ比の一例について説明するための概略図である。
【図８】図８は、第２の実施の形態に係る操作装置の動作の一例を示すフローチャートである。
【発明を実施するための形態】
【００１０】
（実施の形態の要約）
実施の形態に係る操作装置は、操作面に対するなぞり操作を検出するタッチパッドと、タッチパッドの近傍に設けられ、操作を受け付けると共に操作指の接触を検出する操作部と、操作部に対する接触が検出された場合、接触が検出されない場合と比べて、表示装置に表示された操作対象の移動距離に対するなぞり操作の距離の比であるＣＤ比を高くする制御部と、を備えて概略構成されている。
【００１１】
操作者がタッチパッドと操作部の操作を組み合わせて行う場合、操作指の可動範囲は、組み合わせない場合と比べて狭くなる。操作装置は、操作部に対する接触が検出されると、検出されない場合と比べて、ＣＤ比を高くしてなぞり操作の距離が小さくても操作対象の移動距離を大きくすることができるので、操作指の可動範囲が限定された状態であっても操作性を向上させることができる。
【００１２】
[第１の実施の形態]
（操作装置１の概要）
図１（ａ）は、第１の実施の形態に係る操作装置の一例を示す概略図であり、図１（ｂ）は、操作装置の一例を示すブロック図である。図２（ａ）は、第１の実施の形態に係る操作装置が接続される車両通信システムの一例を示すブロック図であり、図２（ｂ）は、操作部を操作しながらタッチパッドを操作し易い順に領域に分けた一例を示す概略図である。なお、以下に記載する実施の形態に係る各図において、図形間の比率は、実際の比率とは異なる場合がある。また図１（ｂ）及び図２（ａ）では、主な情報の流れを矢印で示している。
【００１３】
操作装置１は、例えば、図１（ａ）に示すように、運転席と助手席の間に位置するフロアコンソール１０に配置され、車両に搭載された電子機器８３を離れた位置で操作する遠隔操作装置である。この操作装置１は、例えば、運転席と助手席の斜め前方に配置される表示装置８２に表示されたカーソルを移動させたり、アイコンを選択してドラッグアンドドロップを行ったり、地図画像やページのスクロールを行ったりできるように構成されている。
【００１４】
電子機器８３は、一例として、ナビゲーション装置、空調装置及び音楽再生装置などである。表示装置８２は、電子機器８３の表示部として機能する。なお表示装置８２は、速度計などが配置されるメータパネル内に配置された表示装置であっても良いし、メータパネルに速度計などを表示する表示装置として構成されても良い。
【００１５】
操作装置１は、例えば、図１（ａ）及び図１（ｂ）に示すように、操作面２０に対するなぞり操作を検出するタッチパッド２と、タッチパッド２の近傍に設けられ、操作を受け付けると共に操作指の接触を検出する操作部４と、操作部４に対する接触が検出された場合、接触が検出されない場合と比べて、表示装置８２に表示された操作対象の移動距離に対するなぞり操作の距離の比であるＣＤ比を高くする制御部６と、を備えて概略構成されている。
【００１６】
本実施の形態の表示装置８２に表示された操作対象は、一例として、表示装置８２に表示される後述するカーソル８２１である。
【００１７】
操作装置１は、例えば、図１（ａ）に示すように、タッチパッド２を操作する際に操作者の手９が置かれるパームレスト８６を備えている。操作装置１の操作部４は、操作者がパームレスト８６に手９を置いた状態で操作可能な位置に配置される。このパームレスト８６は、例えば、手が載せ易い丸みを帯びた形状を有している。
【００１８】
操作装置１は、例えば、図２（ａ）に示すように、車両通信システム８０に接続されている。この車両通信システム８０は、車両ＬＡＮ（Local Area Network）８４を介して車両制御部８１、表示装置８２及び電子機器８３などが接続されている。この車両ＬＡＮ８４は、例えば、有線及び無線によって相互に信号や情報などの交換を可能とするＣＡＮ（Controller Area Network）やＬＩＮ（Local Interconnect Network）といった車両用ネットワークである。この車両制御部８１は、ＣＰＵ（Central Processing Unit）、ＲＡＭ（Random Access Memory）及びＲＯＭ（Read Only Memory）などから構成されたマイクロコンピュータである。
【００１９】
（タッチパッド２の構成）
タッチパッド２は、例えば、操作者の体の一部（例えば、操作指）や専用のペンで操作面２０に触れることにより、触れた操作面２０上の位置（検出点）を検出するものである。操作者は、例えば、操作面２０に操作を行うことにより、接続された電子機器８３の操作を行うことが可能となる。タッチパッド２としては、例えば、抵抗膜方式、赤外線方式、静電容量方式などのタッチパッドを用いることが可能である。本実施の形態のタッチパッド２は、一例として、静電容量方式のタッチパッドである。
【００２０】
このタッチパッド２は、例えば、図１（ａ）に示すように、フロアコンソール１０に操作面２０が露出するように配置されている。
【００２１】
そしてタッチパッド２は、例えば、操作面２０の下方に絶縁を保ちながら交差する複数の駆動電極と複数の検出電極を有している。タッチパッド２は、この複数の駆動電極と複数の検出電極の全ての組み合わせを走査して組み合わせごとの静電容量を読み出し、予め定められたしきい値以上の静電容量に基づいて検出対象が検出された後述する検出点９１０を算出する。この検出点９１０の算出は、例えば、加重平均を用いて行われる。
【００２２】
そしてタッチパッド２は、走査するたびに検出点９１０の座標を算出して周期的に検出情報Ｓ１を生成して制御部６に出力する。なお検出点９１０の座標は、例えば、操作面２０に設定されたＸＹ座標系における座標である。このＸＹ座標は、運転席に着座する操作者から見て、左上が原点であり、横軸（車両の左右方向）がＸ軸、縦軸（車両の前後方向）がＹ軸である。なおタッチパッド２は、例えば、相対座標系のタッチパッドである。
【００２３】
（操作部４の構成）
操作部４は、例えば、図１（ａ）に示すように、パームレスト８６の近傍に配置されている。操作部４は、運転席に着座する操作者の手９（左手）で操作し易いように、親指である操作指９０の位置に対応して配置されている。以下では、一例として、操作部４を操作する操作指（親指）を操作指９０とし、タッチパッド２を操作する操作指（一例として人差指であるが他の指でも良い）を操作指９１とする。
【００２４】
この操作部４は、例えば、操作面２０に対して傾いて回転するホイールとして構成されると共に操作指９０の接触を検出するように構成されている。この接触の検出は、例えば、ホイールに設けられたタッチセンサによって行われる。そして操作部４は、接触の有無と操作量に応じた接触操作情報Ｓ２を生成して制御部６に出力する。この操作量は、例えば、ホイールの回転量である。なお操作部４は、回転操作と共にプッシュ操作可能に構成されても良い。
【００２５】
操作部４は、例えば、表示装置に表示されたメニュー項目のスクロールや設定値の変更などに用いられる。なお変形例として操作部４は、ホイールに限定されず、スライダー、静電方式のタッチセンサ、機械式プッシュスイッチなどであっても良い。
【００２６】
操作者は、例えば、タッチパッド２と操作部４の操作を連続的に組み合わせることにより、カーソル８２１の移動と画像のスクロールを組み合わせて行うことができる。
【００２７】
（制御部６の構成）
図３（ａ）及び図３（ｂ）は、第１の実施の形態に係る操作装置が制御する、操作部に接触がない場合のＣＤ比の一例を説明するための概略図である。図４（ａ）及び図４（ｂ）は、第１の実施の形態に係る操作装置が制御する、操作部に接触がある場合のＣＤ比の一例を説明するための概略図である。
【００２８】
制御部６は、例えば、記憶されたプログラムに従って、取得したデータに演算、加工などを行うＣＰＵ、半導体メモリであるＲＡＭ及びＲＯＭなどから構成されるマイクロコンピュータである。このＲＯＭには、例えば、制御部６が動作するためのプログラムと、ＣＤ比情報６０と、が格納されている。ＲＡＭは、例えば、一時的に演算結果などを格納する記憶領域として用いられる。また制御部６は、その内部にクロック信号を生成する手段を有し、このクロック信号に基づいて動作を行う。
【００２９】
ＣＤ比情報６０は、例えば、図３（ａ）〜図４（ｂ）に示すカーソル８２１の移動距離に対するなぞり操作の距離の比に関する情報である。このＣＤ比情報６０には、少なくとも操作部４に対する接触がない場合の基準値のＣＤ比、及び接触がある場合のＣＤ比に関する情報が含まれている。このＣＤ比は、例えば、数値として記憶されても良いし、関数として記憶されていても良い。なお図３（ａ）及び図３（ｂ）のＣＤ比は、ＣＤ比の基準値であるＤ／ｄ１である。また図４（ａ）及び図４（ｂ）のＣＤ比は、ＣＤ比の基準値から変更されたＤ／ｄ２である。
【００３０】
例えば、図１（ａ）に示すように、操作者が操作部４に操作指９０を接触させて操作指９１によって操作面２０に対してなぞり操作を行う場合、操作部４から操作指９０が離れないようになぞり操作を行うことから操作指９１の可動範囲が限定される。つまり操作者は、操作部４に操作指９０を接触させた状態で、操作指９１によって操作面２０の全域を操作することは困難である。
【００３１】
この操作指９１の可動範囲は、一例として、図２（ｂ）の紙面右下に操作部４が位置する場合、簡易的に近領域２０ａ、中領域２０ｂ及び遠領域２０ｃなどに分けられる。例えば、操作者が操作指９０を操作部４に接触させたまま操作面２０に対してなぞり操作を行う場合、可動範囲が近領域２０ａや、近領域２０ａ及び中領域２０ｂに限定され易い。なお操作指９１の可動範囲は、操作部４に接触する操作指９０を中心とした扇状の範囲に近いので、近領域２０ａ、中領域２０ｂ及び遠領域２０ｃを、円弧を含む領域としている。
【００３２】
従って操作者は、例えば、操作指９０を操作部４に接触させた状態でカーソル８２１を目的の位置まで移動させる長い距離のなぞり操作が困難となる。図３（ａ）及び図３（ｂ）は、操作指９０が操作部４に接触していない場合のＣＤ比の例であるが、例えば、接触した状態でこのＣＤ比が適用された場合、カーソル８２１を目的の位置まで移動させる移動距離Ｄが長いので、なぞり操作の距離ｄ１が長くなって操作性が良くない。
【００３３】
そこで制御部６は、操作部４に操作指９０が接触している場合、操作指９１の可動範囲が、接触していない場合と比べて狭いので、接触していない場合よりもＣＤ比を高くするように構成されている。
【００３４】
具体的には、操作指９０が操作部４に接触していない場合は、例えば、図３（ａ）及び図３（ｂ）に示すように、ＣＤ比がＤ／ｄ１であるので、カーソル８２１を移動距離Ｄだけ移動させるためのなぞり操作の距離は、ｄ１である。一方操作指９０が操作部４に接触している場合は、例えば、図４（ａ）及び図４（ｂ）に示すように、ＣＤ比が高くされるので、カーソル８２１を移動距離Ｄだけ移動させるためのなぞり操作の距離は、ｄ１より短いｄ２となる。
【００３５】
なおＣＤ比は、表示装置８２の表示画面８２０の大きさ、操作面２０の大きさなどに依存して最適な比とされる。ＣＤ比は、一例として、表示画面８２０と操作面２０の面積の差が極端に大きくない場合（一例として３倍以下）、およそ０．１〜０．３である。
【００３６】
制御部６は、タッチパッド２から取得する検出情報Ｓ１、及び操作部４から出力される接触操作情報Ｓ２に基づいて電子機器８３に出力する操作情報Ｓ３を生成する。この操作情報Ｓ３は、少なくとも検出点９１０の座標の情報や操作部４の操作量の情報を含んでいる。
【００３７】
ここでＣＤ比を変更する場合、少なくとも次の２通りの方法が考えられる。１つは、操作装置１がなぞり操作の距離の情報含む操作情報Ｓ３を生成する場合、予め定められた正の定数を算出した距離に乗算してＣＤ比を高くする方法である。この定数は、ＣＤ比情報６０に含まれる。
【００３８】
もう１つは、操作装置１が検出点９１０の座標又はなぞり操作の距離を含む操作情報Ｓ３を生成する場合、さらに電子機器８３側でＣＤ比を変更するように指示する指示情報を含んだ操作情報Ｓ３を出力し、電子機器８３側でＣＤ比を高くする方法である。この指示信号は、ＣＤ比情報６０に基づいて生成される。本実施の形態の制御部６は、例えば、なぞり操作の距離に予め定められた正の定数を乗算して操作情報Ｓ３を生成するように構成されている。
【００３９】
ここで変形例として制御部６は、操作部４に対する接触が検出された場合、操作部４に接触していない場合と比べて、操作面２０になされたフリック操作の検出感度を高くするように構成されても良い。この変形例における操作装置１は、操作部４に操作指９０が接触して操作指９１の可動範囲が狭く、フリック操作がし難い場合でも、検出感度を高めることにより、操作部４に接触した状態、又は操作部４を操作しながら行われたフリック操作の検出精度を向上させることができる。
【００４０】
また他の変形例として制御部６は、タッチパッド２及び操作部４の少なくとも一方になされた操作によって、操作部４に対する接触が検出された場合のＣＤ比、及び接触が検出されなかった場合のＣＤ比の少なくとも一方を操作者によって設定されても良い。制御部６は、一例として、操作者が操作部４に操作指９０を接触させた状態で操作面２０に対してタップ操作を行った場合、少なくとも一方のＣＤ比を設定できる画面を表示装置８２に表示させるように構成される。この変形例の操作装置１は、少なくとも一方のＣＤ比を設定できるので、設定できない場合と比べて、ＣＤ比が合わないことに起因する操作者の違和感を抑制することができる。
【００４１】
以下に本実施の形態の操作装置１のＣＤ比を変更する動作の一例について図５のフローチャートに従って説明する。
【００４２】
（動作）
操作装置１の制御部６は、電源が投入されると、タッチパッド２から検出情報Ｓ１を取得すると共に操作部４から接触操作情報Ｓ２を取得する。制御部６は、接触操作情報Ｓ２に基づいて操作指９０の接触が検出されると（Ｓｔｅｐ１：Ｙｅｓ）、ＣＤ比情報６０に基づいてＣＤ比を基準値から変更した状態で（Ｓｔｅｐ２）、タッチパッド２に操作がなされるか監視する。なお制御部６は、接触が検出されなくなると、ＣＤ比を基準値に変更する。
【００４３】
ここで制御部６は、接触が検出されない場合（Ｓｔｅｐ１：Ｎｏ）、ＣＤ比を基準値に維持した状態で（Ｓｔｅｐ３）、タッチパッド２に操作がなされるか監視する。
【００４４】
（第１の実施の形態の効果）
本実施の形態に係る操作装置１は、操作性を向上させることができる。具体的には、操作装置１は、操作部４に対する接触が検出されると、検出されない場合と比べて、ＣＤ比を高くしてなぞり操作の距離が小さくても操作対象の移動距離を大きくすることができるので、操作指の可動範囲が限定された状態であっても操作性を向上させることができる。
【００４５】
操作装置１は、ＣＤ比を高くすることにより、タッチパッド２の操作と操作部４の操作を両立させることができる。そして操作装置１は、タッチパッド２と操作部４を連続的に組み合わせた操作を行うことができるので、電子機器８３の操作の種類が増加する。
【００４６】
［第２の実施の形態］
第２の実施の形態は、タッチパッドで検出された操作指と操作部で検出された操作指の距離に基づいてＣＤ比を変更する点で他の実施の形態と異なっている。
【００４７】
図６（ａ）及び図６（ｂ）は、第２の実施の形態に係る操作装置の操作指間の距離が短い場合のＣＤ比の一例について説明するための概略図である。また図７（ａ）及び図７（ｂ）は、第２の実施の形態に係る操作装置の操作指間の距離が長い場合のＣＤ比の一例について説明するための概略図である。図６（ｂ）及び図７（ｂ）は、上面から見たタッチパッド２と操作部４を模式的に図示している。この図６（ｂ）及び図７（ｂ）の紙面の法線方向がＸＹ座標と直交するＺ軸となる。
【００４８】
なお以下に記載する実施の形態において、第１の実施の形態と同じ機能及び構成を有する部分は、第１の実施の形態と同じ符号を付し、その説明は省略するものとする。また本実施の形態では、一例として、操作指９１によってタッチパッド２を操作すると共に操作指９０によって操作部４を操作するとしているがこれに限定されない。
【００４９】
操作装置１は、例えば、図６（ｂ）及び図７（ｂ）に示すように、操作部４と共にタッチパッド２を操作できるように、操作面２０が含まれる平面に設定されたＸＹ座標系のＹ軸方向に操作面２０と操作部４とが並んで配置されている。言い換えるなら操作装置１は、操作者の手９が置かれるパームレスト８６の近傍にタッチパッド２が配置され、このパームレスト８６の側部に操作部４が配置され、操作部４に操作指９０を接触させた状態でタッチパッド２の操作が可能となるようにされている。
【００５０】
このＸＹ座標系は、例えば、図６（ｂ）及び図７（ｂ）の紙面において操作面２０の左上を原点とし、左から右にＸ軸、上から下にＹ軸が設定されている。操作面２０上の検出点９１０は、このＸＹ座標系の座標を有する。また操作部４の検出点４０は、操作部４が検出した操作指９０の検出点４０をＸＹ座標系に投影し、この投影したＸＹ座標系の座標を与えられる。なお操作部４の検出点４０は、例えば、操作指９０が接触している点でも良いし、平行移動したＸ軸と操作部４の交点としても良い。
【００５１】
制御部６は、タッチパッド２において検出された操作指９１の検出点９１０のＹ座標と、操作部４によって検出された操作指９０の検出点４０のＹ座標と、の差を距離Ｌとし、距離Ｌに基づいてＣＤ比を変更する。後述するように制御部６は、距離Ｌが短い方が長い方と比べてＣＤ比を高く（早く）する。また制御部６は、距離が変わる度にＣＤ比を変更する。
【００５２】
本実施の形態のＣＤ比情報６０は、距離ＬとＣＤ比を関連付けた情報を有している。なおＣＤ比は、距離Ｌの関数としても良い。
【００５３】
例えば、図６（ａ）及び図６（ｂ）に示すように、パームレスト８６の近くにおいて、操作部４に接触した状態でタッチパッド２が操作された場合、手９がすぼんだ状態での操作になるので、操作指９１の可動域が小さくなる。そこで制御部６は、図６（ｂ）に示す距離ＬａとＣＤ比情報６０とに基づいて距離Ｌａに適したＣＤ比（Ｄａ／ｄａ）によって、なぞり操作の距離ｄａにより遠い際よりも長く（早く）、カーソル８２１を移動距離Ｄａ移動させる。
【００５４】
また、例えば、図７（ａ）及び図７（ｂ）に示すように、パームレスト８６から離れて、操作部４に接触した状態でタッチパッド２が操作された場合、手９が広がった状態での操作になるので、操作指９１の可動域が大きくなる。そこで制御部６は、図７（ｂ）に示す距離ＬｂとＣＤ比情報６０とに基づいて距離Ｌｂに適したＣＤ比（Ｄｂ／ｄａ：Ｄｂ／ｄａ＜Ｄａ／ｄａ）によって、なぞり操作の距離ｄａが近い際と同じでも、カーソル８２１を移動距離Ｄａより短い（遅い）移動距離Ｄｂ移動させる。
【００５５】
つまりカーソル８２１は、なぞり操作の距離が同じであっても、距離Ｌが長い場合、移動距離Ｄが短く（ＣＤ比が遅く）なり、距離Ｌが短い場合、移動距離Ｄが長く（ＣＤ比が早く）なる。
【００５６】
以下に本実施の形態の操作装置１のＣＤ比を変更する動作の一例について図８のフローチャートに従って説明する。
【００５７】
（動作）
操作装置１の制御部６は、電源が投入されると、タッチパッド２から検出情報Ｓ１を取得すると共に操作部４から接触操作情報Ｓ２を取得する。制御部６は、接触操作情報Ｓ２に基づいて操作指９０の接触が検出されると（Ｓｔｅｐ１０：Ｙｅｓ）、操作指９１の検出点９１０などから距離Ｌを算出する（Ｓｔｅｐ１１）。
【００５８】
次に制御部６は、算出した距離ＬとＣＤ比情報６０に基づいてＣＤ比を基準値から変更する（Ｓｔｅｐ１２）。このＣＤ比の変更は、距離Ｌが変わる度に、つまり実質的にリアルタイムで行われる。
【００５９】
ここで制御部６は、接触が検出されない場合（Ｓｔｅｐ１１：Ｎｏ）、ＣＤ比を基準値に維持した状態で（Ｓｔｅｐ１３）、タッチパッド２に操作がなされるか監視する。
【００６０】
（第２の実施の形態の効果）
本実施の形態の操作装置１は、手がすぼんだ状態でも広がった状態でも適切なＣＤ比を設定し、ＣＤ比が固定の場合と比べて、操作性を向上させることができる。
【００６１】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００６２】
１…操作装置、２…タッチパッド、４…操作部、６…制御部、９…手、１０…フロアコンソール、２０…操作面、２０ａ…近領域、２０ｂ…中領域、２０ｃ…遠領域、４０…検出点、６０…ＣＤ比情報、８０…車両通信システム、８１…車両制御部、８２…表示装置、８３…電子機器、８４…車両ＬＡＮ、８６…パームレスト、９０，９１…操作指、８２０…表示画面、８２１…カーソル、９１０…検出点
【図１】
2018136906.tif 000003
【図２】
2018136906.tif 000004
【図３】
2018136906.tif 000005
【図４】
2018136906.tif 000006
【図５】
2018136906.tif 000007
【図６】
2018136906.tif 000008
【図７】
2018136906.tif 000009
【図８】
2018136906.tif 000010